【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
走査線と信号線とが交差する部分に配され、電気光学素子と、保持容量と、サンプリングトランジスタと、ドライブトランジスタとを備え、該ドライブトランジスタのソースとゲートとの間に該保持容量が接続し、該ドライブトランジスタのゲートと該信号線との間に該サンプリングトランジスタが接続し、該ドライブトランジスタのソースと所定の電源電位との間に該電気光学素子が接続している画素回路を駆動するため、
該ドライブトランジスタがオン状態となる所定の電圧を該ドライブトランジスタのゲートとソースの間に印加した後、該ドライブトランジスタのソース電位をゲート電位に近づける第１の動作と、
前記サンプリングトランジスタが走査線によって選択された時、該信号線から入力信号をサンプリングして該保持容量に保持する第２の動作と、
前記ドライブトランジスタが、該保持容量に保持された信号電圧に応じて該電気光学素子を電流駆動する第３の動作とを含む画素回路の駆動方法。
【請求項２】
前記第１の動作は、
オン状態にある該ドライブトランジスタに電流を流し、該ドライブトランジスタのゲートとソース間の電圧を小さくしてその閾電圧を検知する請求項１記載の画素回路の駆動方法。
【請求項３】
前記画素回路は、電源と該ドライブトランジスタとの間に接続しているスイッチングトランジスタを含み、
前記スイッチングトランジスタは、該第１の動作を行う時オン状態にあって該ドライブトランジスタに電流を流す請求項２記載の画素回路の駆動方法。
【請求項４】
前記第１の動作は、
該ドライブトランジスタのゲートとソースの間に電圧を印加して、該ドライブトランジスタをオン状態とする一方該電気光学素子を逆バイアス状態にし、
該ドライブトランジスタに電流を流す一方逆バイアス状態の該電気光学素子には電流が流れないようにする請求項１記載の画素回路の駆動方法。
【請求項５】
走査線と信号線とが交差する部分に配されており、
電気光学素子と、
保持容量と、
サンプリングトランジスタと、
ドライブトランジスタとを備え、
該ドライブトランジスタのソースとゲートとの間に該保持容量が接続し、
該ドライブトランジスタのゲートと該信号線との間に該サンプリングトランジスタが接続し、
該ドライブトランジスタのソースと所定の電源電位との間に該電気光学素子が接続し、
前記サンプリングトランジスタは走査線によって選択された時、該信号線から入力信号をサンプリングして該保持容量に保持し、
前記ドライブトランジスタは、該保持容量に保持された信号電圧に応じて該電気光学素子を電流駆動し、
該電気光学素子の電流駆動に先だって、該ドライブトランジスタがオン状態となる所定の電圧を該ドライブトランジスタのゲートとソースの間に印加した後、該ドライブトランジスタのソース電位をゲート電位に近づける手段を有する
画素回路。
【請求項６】
前記手段は、
オン状態にある該ドライブトランジスタに電流を流し、該ドライブトランジスタのゲートとソース間の電圧を小さくしてその閾電圧を検知する請求項５記載の画素回路。
【請求項７】
電源と該ドライブトランジスタとの間に接続しているスイッチングトランジスタを含み、
前記手段は、該スイッチングトランジスタをオン状態において該ドライブトランジスタに電流を流す請求項６記載の画素回路。
【請求項８】
前記手段は、
該ドライブトランジスタのゲートとソースの間に電圧を印加して、該ドライブトランジスタをオン状態とする一方該電気光学素子を逆バイアス状態にし、
該ドライブトランジスタに電流を流す一方逆バイアス状態の該電気光学素子には電流が流れないようにする請求項５記載の画素回路。
【請求項９】
走査線と信号線とが交差する部分に配され、
電気光学素子と、
保持容量と、
サンプリングトランジスタと、
ドライブトランジスタとを備え、
該ドライブトランジスタのソースとゲートとの間に該保持容量が接続し、
該ドライブトランジスタのゲートと該信号線との間に該サンプリングトランジスタが接続し、
該ドライブトランジスタのソースと所定の電源電位との間に該電気光学素子が接続し、  前記サンプリングトランジスタは走査線によって選択された時、該信号線から入力信号をサンプリングして該保持容量に保持し、
前記ドライブトランジスタは、該保持容量に保持された信号電圧に応じて該電気光学素子を電流駆動し、
該電気光学素子の電流駆動に先だって、該ドライブトランジスタがオン状態となる所定の電圧を該ドライブトランジスタのゲートとソースのそれぞれに印加した後、該ソースに印加した電圧と別の電圧を該ドライブトランジスタのソースに印加し、該ドライブトランジスタのソース電位をゲート電位に向かって近づける
画素回路。
【請求項１０】
オン状態にある該ドライブトランジスタに電流を流し、該ドライブトランジスタのゲートとソース間の電圧を小さくしてその閾電圧を検知する請求項９記載の画素回路。
【請求項１１】
電源と該ドライブトランジスタとの間に接続しているスイッチングトランジスタを含み、
該スイッチングトランジスタをオン状態において該ドライブトランジスタに電流を流す請求項１０記載の画素回路。
【請求項１２】
該所定の電圧を該ドライブトランジスタのゲートとソースのそれぞれに印加して、該ドライブトランジスタをオン状態とする一方該電気光学素子を逆バイアス状態にし、
該ソースに印加した電圧と別の電圧を該ドライブトランジスタのソースに印加して該ドライブトランジスタに電流を流す一方逆バイアス状態の該電気光学素子には電流が流れないようにする請求項９記載の画素回路。
【手続補正２】
【補正対象書類名】明細書
【補正対象項目名】００２０
【補正方法】変更
【補正の内容】
【００２０】
係る目的を達成する為に以下の手段を講じた。即ち本発明は、走査線と信号線とが交差する部分に配され、電気光学素子と、保持容量と、サンプリングトランジスタと、ドライブトランジスタとを備え、該ドライブトランジスタのソースとゲートとの間に該保持容量が接続し、該ドライブトランジスタのゲートと該信号線との間に該サンプリングトランジスタが接続し、該ドライブトランジスタのソースと所定の電源電位との間に該電気光学素子が接続ている画素回路の駆動方法であって、該ドライブトランジスタがオン状態となる所定の電圧を該ドライブトランジスタのゲートとソースの間に印加した後、該ドライブトランジスタのソース電位をゲート電位に近づける第１の動作と、前記サンプリングトランジスタが走査線によって選択された時、該信号線から入力信号をサンプリングして該保持容量に保持する第２の動作と、前記ドライブトランジスタが、該保持容量に保持された信号電圧に応じて該電気光学素子を電流駆動する第３の動作とを含むことを特徴とする。
【手続補正３】
【補正対象書類名】明細書
【補正対象項目名】００２１
【補正方法】変更
【補正の内容】
【００２１】
前記第１の動作は、該オン状態にある該ドライブトランジスタに電流を流し、該ドライブトランジスタのゲートとソース間の電圧を小さくしてその閾電圧を検知する。又前記画素回路は、電源と該ドライブトランジスタとの間に接続しているスイッチングトランジスタを含み、前記スイッチングトランジスタは、該第１の動作を行う時オン状態にあって該ドライブトランジスタに電流を流す。
【手続補正４】
【補正対象書類名】明細書
【補正対象項目名】００２２
【補正方法】変更
【補正の内容】
【００２２】
好ましくは、前記第１の動作は、該ドライブトランジスタのゲートとソースの間に電圧を印加して、該ドライブトランジスタをオン状態とする一方該電気光学素子を逆バイアス状態にし、該ドライブトランジスタに電流を流す一方逆バイアス状態の該電気光学素子には電流が流れないようにする。
【手続補正５】
【補正対象書類名】明細書
【補正対象項目名】００２３
【補正方法】変更
【補正の内容】
【００２３】
又本発明は、走査線と信号線とが交差する部分に配された画素回路であって、電気光学素子と、保持容量と、サンプリングトランジスタと、ドライブトランジスタとを備え、該ドライブトランジスタのソースとゲートとの間に該保持容量が接続し、該ドライブトランジスタのゲートと該信号線との間に該サンプリングトランジスタが接続し、該ドライブトランジスタのソースと所定の電源電位との間に該電気光学素子が接続し、前記サンプリングトランジスタは走査線によって選択された時、該信号線から入力信号をサンプリングして該保持容量に保持し、前記ドライブトランジスタは、該保持容量に保持された信号電圧に応じて該電気光学素子を電流駆動し、該電気光学素子の電流駆動に先だって、該ドライブトランジスタがオン状態となる所定の電圧を該ドライブトランジスタのゲートとソースの間に印加した後、該ドライブトランジスタのソース電位をゲート電位に近づける手段を有することを特徴とする。
或いは、該電気光学素子の電流駆動に先だって、該ドライブトランジスタがオン状態となる所定の電圧を該ドライブトランジスタのゲートとソースのそれぞれに印加した後、該ソースに印加した電圧と別の電圧を該ドライブトランジスタのソースに印加し、該ドライブトランジスタのソース電位をゲート電位に向かって近づける。